(57)【要約】  本発明の通信装置は、第１の表示部と、送話部および受話部が少なくとも設けられた第１のユニットと、第１のユニットと着脱可能であり、第２の表示部が少なくとも設けられた第２のユニットとを備え、操作入力を受け付ける入力部と、送話部から出力された音声信号を通話相手先に送信し、通話相手先から受信した音声信号を受話部に入力する通信部と、第１のユニットと第２のユニットとが分離状態であるか否かを検出する検出部と、入力部を介した入力に応じてアプリケーションを実行し、アプリケーションの実行に応じた画像を第１および第２の表示部に表示させ、音声通話を行う旨が入力され、かつ、検出部の検出結果が第１のユニットと第２のユニットとが分離状態である旨を示す場合には、アプリケーションの実行に応じた画像を第２の表示部に表示させる制御部と、を有する。
2013190854.tif 000002
【特許請求の範囲】
【請求項１】
第１のユニットと、前記第１のユニットと着脱可能であり、前記第１のユニットと通信可能な第２のユニットと、を備え、
前記第１のユニットには、第１の表示部と、入力された音声の音声信号を出力する送話部と、入力された音声信号を再生する受話部と、が少なくとも設けられ、
前記第２のユニットには、第２の表示部が少なくとも設けられ、
操作入力を受け付ける入力部と、
音声通話を行う旨が入力されると、前記送話部が出力した音声信号をネットワークを介して通話相手先に送信し、前記ネットワークを介して受信した前記通話相手先からの音声信号を前記受話部に入力する通信部と、
前記第１のユニットと第２のユニットとが分離状態であるか否かを検出する検出部と、
前記入力部を介した入力に応じてアプリケーションを実行し、音声通話を行わない場合には、前記アプリケーションの実行に応じた画像を前記第１および第２の表示部に表示させ、音声通話を行う旨が入力され、かつ、前記検出部の検出結果が前記第１のユニットと第２のユニットとが分離状態である旨を示す場合には、前記アプリケーションの実行に応じた画像を前記第２の表示部に表示させる制御部と、を有することを特徴とする通信装置。
【請求項２】
請求項１記載の通信装置において、
前記制御部は、音声通話を行う旨が入力され、かつ、前記第１のユニットと第２のユニットとが分離状態である場合には、前記第１の表示部の表示をオフにすることを特徴とする通信装置。
【請求項３】
請求項１または２記載の通信装置において、
前記制御部は、複数のアプリケーションを実行している状態で、音声通話を行う旨が入力され、かつ、前記第１のユニットと第２のユニットとが分離状態である場合には、前記実行している複数のアプリケーションのうち、いずれかの選択を要求する旨を示す選択画像を前記第２の表示部に表示させ、該選択画像の表示に応じて、いずれかのアプリケーションを選択する旨が入力されると、該選択されたアプリケーションの実行に応じた画像を前記第２の表示部に表示させることを特徴とする通信装置。
【請求項４】
請求項１から３のいずれか１項に記載の通信装置において、
前記第１のユニットと第２のユニットとは、連結状態で開閉可能に連結され、
前記検出部は、前記第１のユニットと第２のユニットとの開閉状態をさらに検出し、
前記制御部は、音声通話を行う旨が入力され、かつ、前記検出部の検出結果が前記第１のユニットと第２のユニットとが所定の開閉状態である旨を示す場合には、音声通話を開始させるとともに、前記第１の表示部の表示をオフにすることを特徴とする通信装置。
【請求項５】
第１の表示部、入力された音声の音声信号を出力する送話部、および、入力された音声信号を再生する受話部が少なくとも設けられた第１のユニットと、第２の表示部が少なくとも設けられ、前記第１のユニットと着脱可能であり、前記第１のユニットと通信可能な第２のユニットとを備える通信装置の制御方法であって、
音声通話を行う旨が入力されると、前記送話部から出力された音声信号をネットワークを介して通話相手先に送信し、前記ネットワークを介して受信した前記通話相手先からの音声信号を前記受話部に入力し、
前記第１のユニットと第２のユニットとが分離状態であるか否かを検出し、
操作入力に応じてアプリケーションを実行し、音声通話を行わない場合には、前記アプリケーションの実行に応じた画像を前記第１および第２の表示部に表示させ、音声通話を行う旨が入力され、かつ、前記第１のユニットと第２のユニットとが分離状態である場合には、前記アプリケーションの実行に応じた画像を前記第２の表示部に表示させることを特徴とする通信装置の制御方法。
【請求項６】
第１の表示部、入力された音声の音声信号を出力する送話部、および、入力された音声信号を再生する受話部が少なくとも設けられた第１のユニットと、第２の表示部が少なくとも設けられ、前記第１のユニットと着脱可能であり、前記第１のユニットと通信可能な第２のユニットとを備える通信装置内のコンピュータに、
音声通話を行う旨が入力されると、前記送話部から出力された音声信号をネットワークを介して通話相手先に送信し、前記ネットワークを介して受信した前記通話相手先からの音声信号を前記受話部に入力する処理と、
前記第１のユニットと第２のユニットとが分離状態であるか否かを検出する処理と、
操作入力に応じてアプリケーションを実行し、音声通話を行わない場合には、前記アプリケーションの実行に応じた画像を前記第１および第２の表示部に表示させ、音声通話を行う旨が入力され、かつ、前記第１のユニットと第２のユニットとが分離状態である場合には、前記アプリケーションの実行に応じた画像を前記第２の表示部に表示させる処理と、を実行させるプログラム。
【発明の詳細な説明】
【技術分野】
【０００１】
本発明は、セパレート型の通信装置、通信装置の制御方法、および、プログラムに関する。
【背景技術】
【０００２】
携帯電話、スマートフォンなどの通信装置の構成には種々のものがある。例えば、同一面に表示部と操作入力を受け付ける入力部とが設けられた１つの筐体（ユニット）からなる、いわゆる、ストレート型の構成や、表示部が設けられた第１のユニットと入力部が設けられた第２のユニットとがヒンジを介して開閉可能に結合された、いわゆる、折りたたみ型の構成などがある。【０００３】
また、特許文献１（国際公開第２００６／０５１６６９号パンフレット）には、第１の表示部が設けられた第１のユニットと第２の表示部が設けられた第２のユニットとがスライド可能に結合されたスライド型の通信装置が開示されている。【０００４】
また、非特許文献１には、表示部が設けられた第１のユニットと、第１のユニットと着脱可能であり、音声通話を行うために送受話部が設けられた第２のユニットとを備える、いわゆる、セパレート型の通信装置が開示されている。【０００５】
通信装置を用いて音声通話を行う場合、ユーザは、通信装置のスピーカが自身の耳の近傍に位置する状態で通信装置を保持する。このような状態では、上述したストレート型、折りたたみ型、あるいは、スライド型の通信装置では、表示部の表示を見ることができない。そのため、Ｗｅｂページを閲覧しながら音声通話を行いたい場合などに、Ｗｅｂページが表示部に表示されたとしても、ヘッドセットなどを使用しない限り、その表示を見ながら音声通話を行うことができず、使い勝手が悪かった。【０００６】
一方、非特許文献１に開示のセパレート型の通信装置によれば、ユーザは、音声通話時には、第１のユニットと第２のユニットとを分離し、第２のユニットを音声通話するために保持し、第１のユニットを表示部の表示が見やすいように保持することで、表示部の表示が見やすくなり、音声通話時における使い勝手が良くなる。
【先行技術文献】
【特許文献】
【０００７】
【特許文献１】国際公開第２００６／０５１６６９号パンフレット
【非特許文献】
【０００８】
【非特許文献１】“Ｆ−０４Ｂ取扱説明書”  ［平成２４年６月１日検索］  インターネット＜http://www.nttdocomo.co.jp/support/trouble/manual/download/f04b/index.html＞
【発明の概要】
【発明が解決しようとする課題】
【０００９】
非特許文献１に開示の通信装置は、表示部を１つしか備えていないため、多くの情報を一度に表示しようとすると、表示が見にくくなってしまうという課題がある。携帯電話やスマートフォンなどの通信装置は、通常、ユーザに携帯されるものであり、装置サイズが限られているので、表示部のサイズも限られてしまう。そのため、この課題を表示部のサイズを大きくすることで解決することは難しい。【００１０】
本発明の目的は、表示部の表示を見やすくし、また、音声通話時の使い勝手の向上を図る通信装置、通信装置の制御方法、および、プログラムを提供することにある。
【課題を解決するための手段】
【００１１】
上記目的を達成するために本発明の通信装置は、
第１のユニットと、前記第１のユニットと着脱可能であり、前記第１のユニットと通信可能な第２のユニットと、を備え、
前記第１のユニットには、第１の表示部と、入力された音声の音声信号を出力する送話部と、入力された音声信号を再生する受話部と、が少なくとも設けられ、
前記第２のユニットには、第２の表示部が少なくとも設けられ、
操作入力を受け付ける入力部と、
音声通話を行う旨が入力されると、前記送話部が出力した音声信号をネットワークを介して通話相手先に送信し、前記ネットワークを介して受信した前記通話相手先からの音声信号を前記受話部に入力する通信部と、
前記第１のユニットと第２のユニットとが分離状態であるか否かを検出する検出部と、
前記入力部を介した入力に応じてアプリケーションを実行し、音声通話を行わない場合には、前記アプリケーションの実行に応じた画像を前記第１および第２の表示部に表示させ、音声通話を行う旨が入力され、かつ、前記検出部の検出結果が前記第１のユニットと第２のユニットとが分離状態である旨を示す場合には、前記アプリケーションの実行に応じた画像を前記第２の表示部に表示させる制御部と、を有する。【００１２】
上記目的を達成するために本発明の通信装置の制御方法は、
第１の表示部、入力された音声の音声信号を出力する送話部、および、入力された音声信号を再生する受話部が少なくとも設けられた第１のユニットと、第２の表示部が少なくとも設けられ、前記第１のユニットと着脱可能であり、前記第１のユニットと通信可能な第２のユニットとを備える通信装置の制御方法であって、
音声通話を行う旨が入力されると、前記送話部から出力された音声信号をネットワークを介して通話相手先に送信し、前記ネットワークを介して受信した前記通話相手先からの音声信号を前記受話部に入力し、
前記第１のユニットと第２のユニットとが分離状態であるか否かを検出し、
操作入力に応じてアプリケーションを実行し、音声通話を行わない場合には、前記アプリケーションの実行に応じた画像を前記第１および第２の表示部に表示させ、音声通話を行う旨が入力され、かつ、前記第１のユニットと第２のユニットとが分離状態である場合には、前記アプリケーションの実行に応じた画像を前記第２の表示部に表示させる。【００１３】
上記目的を達成するために本発明のプログラムは、
第１の表示部、入力された音声の音声信号を出力する送話部、および、入力された音声信号を再生する受話部が少なくとも設けられた第１のユニットと、第２の表示部が少なくとも設けられ、前記第１のユニットと着脱可能であり、前記第１のユニットと通信可能な第２のユニットとを備える通信装置内のコンピュータに、
音声通話を行う旨が入力されると、前記送話部から出力された音声信号をネットワークを介して通話相手先に送信し、前記ネットワークを介して受信した前記通話相手先からの音声信号を前記受話部に入力する処理と、
前記第１のユニットと第２のユニットとが分離状態であるか否かを検出する処理と、
操作入力に応じてアプリケーションを実行し、音声通話を行わない場合には、前記アプリケーションの実行に応じた画像を前記第１および第２の表示部に表示させ、音声通話を行う旨が入力され、かつ、前記第１のユニットと第２のユニットとが分離状態である場合には、前記アプリケーションの実行に応じた画像を前記第２の表示部に表示させる処理と、を実行させる。【００１４】
本発明によれば、表示部の表示を見やすくし、また、音声通話時の使い勝手の向上を図ることができる。
【図面の簡単な説明】
【００１５】
【図１】本発明の第１の実施形態の通信装置の要部構成を示すブロック図である。
【図２】図１に示す通信装置の表示制御動作を示すフローチャートである。
【図３】本発明の第２の実施形態の通信装置の要部構成を示すブロック図である。
【図４Ａ】図３に示す通信装置の外観を示す図である。
【図４Ｂ】図３に示す通信装置の外観を示す図である。
【図５】図３に示す通信装置の着呼時の動作を示すフローチャートである。
【図６】図３に示す表示部の表示状態の一例を示す図である。
【図７】図３に示す表示部の表示状態の一例を示す図である。
【図８】図３に示す通信装置の発呼時の動作を示すフローチャートである。
【発明を実施するための形態】
【００１６】
以下に、本発明を実施するための形態について図面を参照して説明する。
【００１７】
（第１の実施形態）
図１は、本発明の第１の実施形態の通信装置１００の要部構成を示すブロック図である。本発明に係る通信装置は、通話の発着信、メールの送受信、インターネットへのアクセスなどを行う通信機能を備えるものである。通信装置１００の具体例としては、携帯電話、スマートフォン、タブレット型あるいはノート型のパーソナルコンピュータ、携帯型ゲーム機、ＰＤＡ（Personal Digital Assistant）などがある。
【００１８】
通信装置１００は、通話側ユニット１１０と、通話側ユニット１１０と着脱可能な閲覧側ユニット１３０とを備える、いわゆる、セパレート型の通信装置である。通話側ユニット１１０は第１のユニットの一例であり、閲覧側ユニット１３０は第２のユニットの一例である。
【００１９】
通話側ユニット１１０は、表示部１１１と、送話部１１２と、受話部１１３と、を有する。また、閲覧側ユニット１３０は、表示部１３１と、入力部１３２と、通信部１３３と、検出部１３４と、制御部１３５と、を有する。表示部１１１は、第１の表示部の一例であり、表示部１３３は、第２の表示部の一例である。
【００２０】
通話側ユニット１１０と閲覧側ユニット１３０とが連結状態では、通話側ユニット１１０内および閲覧側ユニット１３０内の各部は、バス１５０を介して互いに接続される。また、通話側ユニット１１０と閲覧側ユニット１３０とが分離状態では、通話側ユニット１１０内の各部はバス１５０を介して互いに接続され、閲覧側ユニット１３０内の各部はバス１５０を介して互いに接続される。また、通話側ユニット１１０と閲覧側ユニット１３０とは、分離状態では、近距離無線通信が可能である。なお、図１においては、近距離無線通信を行うための構成については記載を省略している。
【００２１】
表示部１１１は、ＬＣＤ（Liquid Crystal Display）などであり、制御部１３５の制御に従い、画像を表示する。
【００２２】
送話部１１２は、マイクなどであり、入力された音声の音声信号を出力する。
【００２３】
受話部１１３は、スピーカなどであり、入力された音声信号を再生する。
【００２４】
表示部１３１は、ＬＣＤなどであり、制御部１３５の制御に従い、画像を表示する。
【００２５】
入力部１３２は、ユーザからの操作入力を受け付ける。なお、入力部１３２の具体例としては、キーボタン、あるいは、指、スタイラスペンなどの接触または近接を検出するタッチパッドなどがある。入力部１３２がタッチパッドである場合には、表示部１３１に重ね合わせて配置され、タッチパネルを構成する。
【００２６】
なお、入力部１３２は、通話側ユニット１１０に設けられてもよいし、通話側ユニット１１０および閲覧側ユニット１３０の両方に設けられてもよい。
【００２７】
通信部１３３は、ネットワークを介した通信が可能であり、音声通話を行う旨が入力されると、送話部１１２から出力された音声信号をネットワークを介して通話相手先に送信し、また、ネットワークを介して受信した通話相手先からの音声信号を受話部１１３に入力する。なお、通信部１３３と送話部１１２および受話部１１３との間の音声信号の入出力は、通話側ユニット１１０と閲覧側ユニット１３０とが連結状態では、バス１５０を介して行われ、通話側ユニット１１０と閲覧側ユニット１３０とが分離状態では、近距離無線通信を介して行われる。
【００２８】
また、通話部１３３は、入力部１３２を介した入力に応じて、ネットワークを介して、メールの送受信や、Ｗｅｂページの閲覧などに必要なデータの送受信などを行う。なお、通信部１３３は、通話側ユニット１１０に設けられてもよい。
【００２９】
検出部１３４は、通話側ユニット１１０と閲覧側ユニット１３０とが連結状態であるか否かを検出し、検出結果を出力する。なお、検出部１３４は、通話側ユニット１１０に設けられてもよい。
【００３０】
制御部１３５は、入力部１３２を介した入力に応じてアプリケーションを実行し、音声通話を行わない場合には、アプリケーションの実行に応じた画像を表示部１１１および表示部１３１に表示させる。また、制御部１３５は、入力部１３２を介して音声通話を行う旨が入力され、かつ、検出部１３４の検出結果が通話側ユニット１１０と閲覧側ユニット１３０とが分離状態である旨を示す場合には、アプリケーションの実行に応じた画像を表示部１３１に表示させる。
【００３１】
なお、制御部１３５は、通話側ユニット１１０に設けられてもよいし、通話側ユニット１１０と閲覧側ユニット１３０とに分けて設けられてもよい。
【００３２】
次に、本実施形態の通信装置１００の動作について説明する。
【００３３】
図２は、音声通話時の表示制御動作を示すフローチャートである。
【００３４】
制御部１３５は、アプリケーションを実行しており、アプリケーションの実行に応じた画像を表示部１１１および表示部１３１に表示させているものとする。
【００３５】
制御部１３５は、音声通話を行う旨（発呼を行う旨、あるいは、着呼に対して応答する旨）が入力されたか否かを判定する（ステップＳ２０１）。
【００３６】
音声通話を行う旨が入力されていない場合には（ステップＳ２０１：Ｎｏ）、制御部１３５は、ステップＳ２０１の処理を繰り返す。
【００３７】
音声通話を行う旨が入力された場合には（ステップＳ２０１：Ｙｅｓ）、制御部１３５は、検出部１３４の検出結果から通話側ユニット１１０と閲覧側ユニット１３０とが分離状態であるか否かを判定する（ステップＳ２０２）。
【００３８】
通話側ユニット１１０と閲覧側ユニット１３０とが分離状態である場合には（ステップＳ２０２：Ｙｅｓ）、制御部１３５は、アプリケーションの実行に応じた画像を閲覧側ユニット１３０の表示部１３１に表示させる（ステップＳ２０３）。
【００３９】
次に、制御部１３５は、通信部１３３に音声通話を開始させる（ステップＳ２０４）。
【００４０】
一方、通話側ユニット１１０と閲覧側ユニット１３０とが分離状態でない場合には（ステップＳ２０２：Ｎｏ）、制御部１３５は、ステップＳ２０４の処理に進む。なお、通話側ユニット１１０と閲覧側ユニット１３０とが分離状態でない場合に、表示部１１１，１３１の一方あるいは両方の表示をオフにしてもよい。
【００４１】
このように本実施形態によれば、通信装置１００は、表示部１１１を有する通話側ユニット１１０と、通話側ユニット１１０と着脱可能であり、表示部１３１を有する閲覧側ユニット１３０とを備え、音声通話を行わない場合には、アプリケーションの実行に応じた画像を表示部１１１および表示部１３１に表示させ、音声通話を行う旨が入力され、かつ、通話側ユニット１１０と閲覧側ユニット１３０とが分離状態である場合には、アプリケーションの実行に応じた画像を表示部１３１に表示させる。
【００４２】
そのため、音声通話を行わない場合には、２つの表示部でアプリケーションの実行に応じた画像が表示されるので、より多くの情報をより見やすく表示することができる。また、音声通話を行う旨が入力され、かつ、通話側ユニット１１０と閲覧側ユニット１３０とが分離状態では、アプリケーションの実行に応じた画像を閲覧側ユニット１３０の表示部１３１に表示させる。通話側ユニット１１０と閲覧側ユニット１３０とが分離することで、ユーザは、閲覧側ユニット１３０を表示部１３１の表示が見やすい状態で保持することができるため、音声通話時にも表示部の表示が見やすくなる。
【００４３】
（第２の実施形態）
図３は、本発明の第２の実施形態の通信装置２００の要部構成を示すブロック図である。
【００４４】
通信装置２００は、通話側ユニット２１０と、通話側ユニット２１０と着脱可能な閲覧側ユニット２３０とを備える、いわゆるセパレート型の通信装置である。また、通話側ユニット２１０と閲覧側ユニット２３０とは、連結状態では、開閉可能に連結される。通話側ユニット２１０は第１のユニットの一例であり、閲覧側ユニット２３０は第２のユニットの一例である。
【００４５】
通話側ユニット２１０は、表示部２１１と、マイク２１２と、スピーカ２１３と、入力部２１４と、通信ＩＣ（Integrated Circuit）２１５と、ＣＰＵ（Central Processing Unit）２１６と、ＲＡＭ（Random Access Memory）２１７と、ＲＯＭ（Read Only Memory）２１８と、を有する。
【００４６】
閲覧側ユニット２３０は、表示部２３１と、入力部２３２と、センサ２３３と、状態検出部２３４と、通信ＩＣ２３５と、通信部２３６と、ＣＰＵ２３７と、ＲＡＭ２３８と、ＲＯＭ２３９と、を有する。
【００４７】
表示部２１１は第１の表示部の一例であり、表示部２３１は第２の表示部の一例である。また、マイク２１２は送話部の一例であり、スピーカは受話部の一例である。また、センサ２３３と状態検出部２３４とは、検出部を構成する。また、ＣＰＵ２１６，ＲＡＭ２１７，ＲＯＭ２１８，ＣＰＵ２３７，ＲＡＭ２３８およびＲＯＭ２３９は、制御部を構成する。
【００４８】
通話側ユニット２１０と閲覧側ユニット２３０とが連結状態では、通話側ユニット２１０内および閲覧側ユニット２３０内の各部は、バス２５０を介して互いに接続される。また、通話側ユニット２１０と閲覧側ユニット２３０とが分離状態では、通話側ユニット２１０内の各部はバス２５０を介して互いに接続され、また、閲覧側ユニット２３０内の各部はバス２５０を介して互いに接続される。
【００４９】
表示部２１１は、ＬＣＤなどであり、ＣＰＵ２１６あるいはＣＰＵ２３７の制御に従い、画像を表示する。
【００５０】
マイク２１２は、入力された音声の音声信号を出力する。
【００５１】
スピーカ２１３は、入力された音声信号を再生する。
【００５２】
入力部２１４は、第１の実施形態における入力部１３２に相当し、ユーザからの操作入力を受け付ける。
【００５３】
通信ＩＣ２１５は、閲覧側ユニット２３０と、Bluetooth（登録商標）などの近距離無線通信を行う。
【００５４】
ＣＰＵ２１６は、入力部２１４あるいは入力部２３２を介した入力に応じてアプリケーションを実行し、アプリケーションの実行に応じた画像の表示制御を行う。
【００５５】
ＲＡＭ２１７は、ＣＰＵ２１６が種々の処理を行うのに必要なデータなどを一時的に記憶する。
【００５６】
ＲＯＭ２１８は、ＣＰＵ２１６が種々の処理を行うための制御プログラムなどを記憶する。
【００５７】
表示部２３１は、ＬＣＤなどであり、ＣＰＵ２１６あるいはＣＰＵ２３７の制御に従い、画像を表示する。
【００５８】
入力部２３２は、第１の実施形態における入力部１３２に相当し、ユーザからの操作入力を受け付ける。
【００５９】
センサ２３３は、通信装置２００の状態の変化に応じて変化する信号などを監視する。
【００６０】
状態検出部２３４は、センサ２３３の監視の結果から、通信装置２００の状態（通話側ユニット２１０と閲覧側ユニット２３０とが分離状態であるか、連結状態であるか、また、通話側ユニット２１０と閲覧側ユニット２３０とが連結状態では、通話側ユニット２１０と閲覧側ユニット２３０との開閉状態）を検出する。
【００６１】
具体的には、センサ２３３は、例えば、バス２５０を介した通話側ユニット２１０と閲覧側ユニット２３０との間の信号の送受信などを監視する。通話側ユニット２１０と閲覧側ユニット２３０とが分離されると、バス２５０を介した通話側ユニット２１０と閲覧側ユニット２３０との間の信号の送受信が途絶えるため、状態検出部２３４は、この信号の変化に基づいて、通話側ユニット２１０と閲覧側ユニット２３０とが分離状態であるか、連結状態であるかを検出する。
【００６２】
また、例えば、通話側ユニット２１０および閲覧側ユニット２３０のいずれか一方に永久磁石を配置し、他方にホール素子を配置し、センサ２３３は、ホール素子の出力電圧を監視する。通話側ユニット２１０および閲覧側ユニット２３０の開閉状態の変化に伴い、永久磁石からの磁束の強弱に起因してホール素子の出力電圧が変化するため、状態検出部２３４は、このホール素子の出力電圧の変化から、通話側ユニット２１０と閲覧側ユニット２３０との開閉状態を検出する。
【００６３】
通信ＩＣ２３５は、通話側ユニット２１０と近距離無線通信を行う。
【００６４】
通信部２３６は、ネットワークを介した通信が可能であり、音声通話を行う旨が入力されると、マイク２１２から出力された音声信号をネットワークを介して通話相手先に送信し、また、ネットワークを介して通話相手先から受信した音声信号をスピーカ２１３に入力する。なお、通信部２３６とマイク２１２との間および通信部２３６とスピーカ２１３との間の音声信号の入出力は、通話側ユニット２１０と閲覧側ユニット２３０とが連結状態では、バス２５０を介して行われ、通話側ユニット２１０と閲覧側ユニット２３０とが分離状態では、近距離無線通信を介して行われる。
【００６５】
ＣＰＵ２３７は、ＣＰＵ２１６とともに、入力部２１４あるいは入力部２３２を介した入力に応じてアプリケーションを実行し、アプリケーションの実行に応じた画像の表示制御を行う。
【００６６】
ＲＡＭ２３８は、ＣＰＵ２３７が種々の処理を行うのに必要なデータなどを一時的に記憶する。
【００６７】
ＲＯＭ２３９は、ＣＰＵ２３７が種々の処理を行うための制御プログラムなどを記憶する。
【００６８】
図４Ａ，４Ｂは、通信装置２００の外観を示す図である。なお、図４Ａ，４Ｂにおいては、表示部２１１および表示部２３１のみを記載し、他の構成については記載を省略している。
【００６９】
通話側ユニット２１０と閲覧側ユニット２３０とが、表示部２１１と表示部２３１とが対向して内側を向くように（図４Ａ）、また、表示部２１１および表示部２３１が外側を向くように（図４Ｂ）、略３６０度開閉可能に連結される。以下では、表示部２１１および表示部２３１が外側を向くように（通話側ユニット２１０と閲覧側ユニット２３０とがなす角が略３６０度となるように）通信装置２００が折りたたまれた状態を全開状態と称する。
【００７０】
通話側ユニット２１０には、表示部２１１と同じ面にマイク２１２およびスピーカ２１３が設けられている。マイク２１２は、ユーザが音声通話を行うために通話側ユニット２１０を保持した状態で、ユーザの口の近傍に位置するように配置され、スピーカ２１３は、ユーザが音声通話を行うために通話側ユニット２１０を保持した状態で、ユーザの耳の近傍に位置するように配置される。
【００７１】
通信装置２００は、通話側ユニット２１０と閲覧側ユニット２３０とが分離状態および全開状態で、音声通話が可能である。
【００７２】
次に、通信装置２００の動作について説明する。
【００７３】
図５は、通信装置２００の着呼時の動作を示すフローチャートである。
【００７４】
なお、以下では、通話側ユニット２１０と閲覧側ユニット２３０とが連結状態であるものとする。また、メールを閲覧する旨、および、写真を閲覧する旨が入力され、図６に示すように、通話側ユニット２１０側の表示部２１１には、写真閲覧アプリケーションの実行に応じた画像を表示され、閲覧側ユニット２３０側の表示部２３１には、メールアプリケーションの実行に応じた画像が表示されているものとする。
【００７５】
着呼があると、ＣＰＵ２３７は、バス２５０を介して着呼があった旨をＣＰＵ２１６に通知する（ステップＳ５０１）。その通知を受けて、ＣＰＵ２１６は、通話アプリケーションを起動させる（ステップＳ５０２）。
【００７６】
次に、ＣＰＵ２３７は、通信ＩＣ２３５を起動し、また、ＣＰＵ２１６は、通信ＩＣ２１５を起動する（ステップＳ５０３）。これにより、通信ＩＣ２３５と通信ＩＣ２１５との間で近距離無線通信が可能となる。
【００７７】
次に、ＣＰＵ２３７は、通信装置２００の状態の検出を状態検出部２３４に要求し、状態検出部２３４の検出結果から、通話側ユニット２１０と閲覧側ユニット２３０とが分離状態であるか否か、また、通話側ユニット２１０と閲覧側ユニット２３０とが全開状態であるか否かを判定する（ステップＳ５０４）。通話側ユニット２１０と閲覧側ユニット２３０とが分離状態でも全開状態でもない場合には、ＣＰＵ２３７は、ステップＳ５０４の処理を繰り返す。
【００７８】
通話側ユニット２１０と閲覧側ユニット２３０とが分離状態である場合には、ＣＰＵ２３７は、音声通話を行う旨が入力されたものとして、通信ＩＣ２３５を介して、通話側ユニット２１０と閲覧側ユニット２３０とが分離状態で音声通話を開始する旨を、通信ＩＣ２３５を介して通話側ユニット２１０に通知する。その通知を受けて、ＣＰＵ２１６は、マイク２１２、スピーカ２１３に処理を開始させる。また、ＣＰＵ２３７は、通信部２３６にネットワークを介した音声信号の送受信、および、マイク２１２、スピーカ２１３との間の音声信号の入出力を開始させる。これにより、通話可能状態となる（ステップＳ５０５）。
【００７９】
次に、ＣＰＵ２１６は、図７に示すように、通話側ユニット２１０の表示部２１１の表示をオフにする（ステップＳ５０６）。また、ＣＰＵ２３７は、図７に示すように、メールアプリケーションの実行に応じた画像を閲覧側ユニット２３０の表示部２３１に表示させる（ステップＳ５０７）。上述したように、ユーザが音声通話を行う場合、マイク２１２はユーザの口の近傍に位置し、スピーカ２１３はユーザの耳の近傍に位置する状態で、通話側ユニット２１０は保持される、この状態では、ユーザにとっては通話側ユニット２１０の表示部２１１の表示は見にくい。また、表示部２３１には、アプリケーションの実行に応じた画像が引き続き表示されるため、ユーザが、音声通話を行いながら表示部２１１の表示を見る可能性は低い。そのため、表示部２１１の表示をオフにすることで、消費電力の低減を図ることができる。
【００８０】
なお、図６においては記載を省略したが、ＣＰＵ２３７は、音声通話を開始する場合に、複数のアプリケーションを実行している場合には、その複数のアプリケーションのいずれかの選択を要求する旨の選択画像を表示部２３１に表示させる。選択画像の表示に応じて、いずれかのアプリケーションを選択する旨が入力部２３２を介して入力されると、ＣＰＵ２３７は、その選択されたアプリケーションの実行に応じた画像を表示部２３１に表示させる。そのため、通話開始前には通話側ユニット２１０の表示部２１１に表示されていた写真閲覧アプリケーションの実行に応じた画像を、音声通話時に閲覧側ユニット２３０の表示部２３１に表示させることもできる。
【００８１】
通話側ユニット２１０と閲覧側ユニット２３０とが全開状態である場合には、ＣＰＵ２３７は、音声通話を行う旨が入力されたものとして、バス２５０を介して通話側ユニット２１０と閲覧側ユニット２３０とが全開状態で音声通話を開始する旨を通話側ユニット２１０に通知する。その通知を受けて、ＣＰＵ２１６は、マイク２１２、スピーカ２１３に処理を開始させる。また、ＣＰＵ２３７は、通信部２３６にネットワークを介した音声信号の送受信、および、マイク２１２、スピーカ２２１３との間の音声信号の入出力を開始させる。これにより、通話可能状態となる（ステップＳ５０８）。
【００８２】
また、ＣＰＵ２３７は、表示部２３１の表示にオフにするか、あるいは、任意の画像（音声通話中である旨を示す画像、アプリケーションの実行に応じた画像など）を表示部２３１に表示させる（ステップＳ５０９）。
【００８３】
また、ＣＰＵ２１６は、表示部２１１の表示をオフにする（ステップＳ５１０）。上述したように、ユーザが音声通話を行う場合、通話側ユニット２１０の表示部２１１の表示を見る可能性は低い。そのため、通話側ユニット２１０の表示部２１１の表示をオフにすることで、消費電力の低減を図ることができる。
【００８４】
図８は、通信装置２００の発呼時の動作を示すフローチャートである。
【００８５】
なお、以下では、通話側ユニット２１０と閲覧側ユニット２３０とが連結状態であるものとする。
【００８６】
ＣＰＵ２３７は、定期的に、通信装置２００の状態の検出を状態検出部２３４に要求し、状態検出部２３４の検出結果から、通話側ユニット２１０と閲覧側ユニット２３０とが分離状態であるか否か、また、通話側ユニット２１０と閲覧側ユニット２３０とが全開状態であるか否かを判定する（ステップＳ８０１）。
【００８７】
通信装置２００が分離状態でも全開状態でもない場合には、ＣＰＵ２３７は、ステップＳ８０１の処理を繰り返す。
【００８８】
通話側ユニット２１０と閲覧側ユニット２３０とが分離状態である場合には、ＣＰＵ２３７は、通信ＩＣ２３５を起動させ、ＣＰＵ２１６は、通信ＩＣ２１５を起動させる（ステップＳ８０２）。なお、ＣＰＵ２１６は、例えば、バス２５０を介した通話側ユニット２１０と閲覧側ユニット２３０との間の信号の入出力をモニタし、通話側ユニット２１０と閲覧側ユニット２３０とが分離されることで、バス２５０を介した信号の入出力が切断されると、通話側ユニット２１０と閲覧側ユニット２３０とが分離されたと判定し、通信ＩＣ２１５を起動させる。
【００８９】
次に、ＣＰＵ２１６は、通話アプリケーションを起動させる（ステップＳ８０３）。
【００９０】
次に、ＣＰＵ２１６は、通話側ユニット２１０の表示部２１１の表示をオフにする（ステップＳ８０４）。また、ＣＰＵ２３７は、アプリケーションの実行に応じた画像を閲覧側ユニット２３０の表示部２３１に表示させる（ステップＳ８０５）。これにより、ユーザが、音声通話を行うために通話側ユニット２１０を保持しながら、アプリケーションの実行に応じた画像を閲覧側ユニット２３０の表示部２３１上で見ることができる。
【００９１】
発呼を行う旨が入力されると、ＣＰＵ２３７は、通信部２３６に発呼を行わせる。
【００９２】
通話側ユニット２１０と閲覧側ユニット２３０とが全開状態である場合には、ＣＰＵ２３７は、アプリケーションの実行に応じた画像を表示部２３１に表示させる（ステップＳ８０６）。
【００９３】
また、ＣＰＵ２３７は、バス２５０を介して、通話側ユニット２１０と閲覧側ユニット２３０とが全開状態である旨をＣＰＵ２１６に通知する（ステップＳ８０７）。その通知を受けて、ＣＰＵ２１６は、通話アプリケーションを起動させる（ステップＳ８０８）。また、ＣＰＵ２１６は、表示部２１１の表示をオフにする（ステップＳ８０９）。
【００９４】
その後、発呼を行う旨が入力されると、ＣＰＵ２３７は、通信部２３６に発呼を行わせる。
【００９５】
このように本実施形態によれば、通信装置２００は、表示部２１１を有する通話側ユニット２１０と、通話側ユニット２１０と着脱可能であり、表示部２３１を有する閲覧側ユニット２３０と、を備え、音声通話を行わない場合には、アプリケーションの実行に応じた画像を表示部２１１および表示部２３１に表示させ、音声通話を行う旨が入力され、かつ、通話側ユニット２１０と閲覧側ユニット２３０とが分離されている場合には、アプリケーションの実行に応じた画像を表示部２３１に表示させる。
【００９６】
そのため、音声通話を行わない場合には、２つの表示部でアプリケーションの実行に応じた画像が表示されるので、より多くの情報をより見やすく表示することができる。また、音声通話を行う旨が入力され、かつ、通話側ユニット２１０と閲覧側ユニット２３０とが分離されている場合には、アプリケーションの実行に応じた画像を閲覧側ユニット２３０の表示部２３１に表示させる。通話側ユニット２１０と閲覧側ユニット２３０とが分離することで、ユーザは、閲覧側ユニット２３０を表示部２３１の表示が見やすい状態で保持することができるため、音声通話時にも表示部の表示が見やすくなる。
【００９７】
なお、本発明の通信装置にて行われる方法は、コンピュータに実行させるためのプログラムに適用してもよい。また、そのプログラムを記憶媒体に格納することも可能であり、ネットワークを介して外部に提供することも可能である。
【００９８】
以上、実施形態を参照して本願発明を説明したが、本発明は上記実施形態に限定されるものではない。本願発明の構成や詳細には、本願発明の範囲内で当業者が理解し得る様々な変更をすることができる。
【００９９】
この出願は、２０１２年６月２０日に出願された日本出願２０１２−１３８７４４を基礎とする優先権を主張し、その開示の全てをここに取り込む。
【０１００】
上記の実施形態の一部または全部は、以下の付記のようにも記載されうるが、以下には限られない。
【０１０１】
（付記１）
第１のユニットと、前記第１のユニットと着脱可能であり、前記第１のユニットと通信可能な第２のユニットと、を備え、
前記第１のユニットには、第１の表示部と、入力された音声の音声信号を出力する送話部と、入力された音声信号を再生する受話部と、が少なくとも設けられ、
前記第２のユニットには、第２の表示部が少なくとも設けられ、
操作入力を受け付ける入力部と、
音声通話を行う旨が入力されると、前記送話部が出力した音声信号をネットワークを介して通話相手先に送信し、前記ネットワークを介して受信した前記通話相手先からの音声信号を前記受話部に入力する通信部と、
前記第１のユニットと第２のユニットとが分離状態であるか否かを検出する検出部と、
前記入力部を介した入力に応じてアプリケーションを実行し、音声通話を行わない場合には、前記アプリケーションの実行に応じた画像を前記第１および第２の表示部に表示させ、音声通話を行う旨が入力され、かつ、前記検出部の検出結果が前記第１のユニットと第２のユニットとが分離状態である旨を示す場合には、前記アプリケーションの実行に応じた画像を前記第２の表示部に表示させる制御部と、を有することを特徴とする通信装置。
【０１０２】
（付記２）
付記１記載の通信装置において、
前記制御部は、音声通話を行う旨が入力され、かつ、前記第１のユニットと第２のユニットとが分離状態である場合には、前記第１の表示部の表示をオフにすることを特徴とする通信装置。
【０１０３】
（付記３）
付記１または２記載の通信装置において、
前記制御部は、複数のアプリケーションを実行している状態で、音声通話を行う旨が入力され、かつ、前記第１のユニットと第２のユニットとが分離状態である場合には、前記実行している複数のアプリケーションのうち、いずれかの選択を要求する旨を示す選択画像を前記第２の表示部に表示させ、該選択画像の表示に応じて、いずれかのアプリケーションを選択する旨が入力されると、該選択されたアプリケーションの実行に応じた画像を前記第２の表示部に表示させることを特徴とする通信装置。
【０１０４】
（付記４）
付記１から３のいずれか１つに記載の通信装置において、
前記第１のユニットと第２のユニットとは、連結状態で開閉可能に連結され、
前記検出部は、前記第１のユニットと第２のユニットとの開閉状態をさらに検出し、
前記制御部は、音声通話を行う旨が入力され、かつ、前記検出部の検出結果が前記第１のユニットと第２のユニットとが所定の開閉状態である旨を示す場合には、音声通話を開始させるとともに、前記第１の表示部の表示をオフにすることを特徴とする通信装置。
【０１０５】
（付記５）
第１の表示部、入力された音声の音声信号を出力する送話部、および、入力された音声信号を再生する受話部が少なくとも設けられた第１のユニットと、第２の表示部が少なくとも設けられ、前記第１のユニットと着脱可能であり、前記第１のユニットと通信可能な第２のユニットとを備える通信装置の制御方法であって、
音声通話を行う旨が入力されると、前記送話部から出力された音声信号をネットワークを介して通話相手先に送信し、前記ネットワークを介して受信した前記通話相手先からの音声信号を前記受話部に入力し、
前記第１のユニットと第２のユニットとが分離状態であるか否かを検出し、
操作入力に応じてアプリケーションを実行し、音声通話を行わない場合には、前記アプリケーションの実行に応じた画像を前記第１および第２の表示部に表示させ、音声通話を行う旨が入力され、かつ、前記第１のユニットと第２のユニットとが分離状態である場合には、前記アプリケーションの実行に応じた画像を前記第２の表示部に表示させることを特徴とする通信装置の制御方法。
【０１０６】
（付記６）
付記５記載の通信装置の制御方法において、
音声通話を行う旨が入力され、かつ、前記第１のユニットと第２のユニットとが分離状態である場合には、前記第１の表示部の表示をオフにすることを特徴とする通信装置の制御方法。
【０１０７】
（付記７）
付記５または６記載の通信装置の制御方法において、
複数のアプリケーションを実行している状態で、音声通話を行う旨が入力され、かつ、前記第１のユニットと第２のユニットとが分離状態である場合には、前記実行している複数のアプリケーションのうち、いずれかの選択を要求する旨を示す選択画像を前記第２の表示部に表示させ、該選択画像の表示に応じて、いずれかのアプリケーションを選択する旨が入力されると、該選択されたアプリケーションの実行に応じた画像を前記第２の表示部に表示させることを特徴とする通信装置の制御方法。
【０１０８】
（付記８）
付記５から７のいずれか１つに記載の通信装置の制御方法において、
前記第１のユニットと第２のユニットとは、連結状態で開閉可能に連結され、
前記第１のユニットと第２のユニットとの開閉状態をさらに検出し、
音声通話を行う旨が入力され、かつ、前記第１のユニットと第２のユニットとが所定の開閉状態である場合には、音声通話を開始させるとともに、前記第１の表示部の表示をオフにすることを特徴とする通信装置の制御方法。
【０１０９】
（付記９）
第１の表示部、入力された音声の音声信号を出力する送話部、および、入力された音声信号を再生する受話部が少なくとも設けられた第１のユニットと、第２の表示部が少なくとも設けられ、前記第１のユニットと着脱可能であり、前記第１のユニットと通信可能な第２のユニットとを備える通信装置内のコンピュータに、
音声通話を行う旨が入力されると、前記送話部から出力された音声信号をネットワークを介して通話相手先に送信し、前記ネットワークを介して受信した前記通話相手先からの音声信号を前記受話部に入力する処理と、
前記第１のユニットと第２のユニットとが分離状態であるか否かを検出する処理と、
操作入力に応じてアプリケーションを実行し、音声通話を行わない場合には、前記アプリケーションの実行に応じた画像を前記第１および第２の表示部に表示させ、音声通話を行う旨が入力され、かつ、前記第１のユニットと第２のユニットとが分離状態である場合には、前記アプリケーションの実行に応じた画像を前記第２の表示部に表示させる処理と、を実行させるプログラム。
【図１】
2013190854.tif 000003
【図２】
2013190854.tif 000004
【図３】
2013190854.tif 000005
【図４Ａ】
2013190854.tif 000006
【図４Ｂ】
2013190854.tif 000007
【図５】
2013190854.tif 000008
【図６】
2013190854.tif 000009
【図７】
2013190854.tif 000010
【図８】
2013190854.tif 000011
【国際調査報告】
2013190854.tif 000012
2013190854.tif 000013
2013190854.tif 000014
2013190854.tif 000015